(57)【要約】  【課題】  合成樹脂を用いて軽量化を図った同軸ケーブル用コネクタを提供する。  【解決手段】  同軸ケーブルＣの中心導体Ｃａ端末部と接続する中心コンタクト３と、締付け金具２を螺合して前記同軸ケーブルＣの外部導体Ｃｂと導通状態におかれるコネクタ本体および該コネクタ本体１と前記中心コンタクト３間を絶縁する絶縁材を備えて成る。そして、前記締付け金具２を、コネクタ本体１の雄ねじ部１ｂに螺合する金具本体２Ａと該金具本体２Ａを前後方向の中間部において収設した、カバー枠２Ｂで構成する。また、カバー枠２Ｂをポリカーボネート等の硬質合成樹脂製のカバー主体２Ｂ´を塩ビ等の耐候性有る軟質樹脂層２Ｂ´´で套装して構成する。【選択図】    図１
2010056001.tif 000002
【特許請求の範囲】
【請求項１】
コネクタ本体の雄ねじ部に螺合してクランプリングを縮径させて同軸ケーブルの外部導体に圧接させるようにした同軸ケーブル用コネクタの締付け金具において、コネクタ本体の前記雄ねじ部に螺合する金具本体と該金具本体を前後方向の中間部において収設した、ポリカーボネート等の硬質合成樹脂製のカバー枠で構成し、カバー枠を塩ビ等の耐候性有る軟質樹脂層で套装した、同軸ケーブル用コネクタの締付け金具。
【発明の詳細な説明】
【技術分野】
【０００１】
本発明は、同軸ケーブルと機器とを接続するために用いる同軸ケーブル用コネクタの締付け金具に関するものである。
【背景技術】
【０００２】
同軸ケーブルの中心導体端末部と接続する中心コンタクトと、締付け金具をコネクタ本体に螺合してクランプリングを縮径させて前記同軸ケーブルの外部導体に圧接させ、外部導体と前記コネクタ本体を導通させるようにした同軸ケーブル用コネクタは、特許文献１を挙げるまでもなく公知である。
【０００３】
【特許文献１】特開平１１−３４５６５６号公報
【発明の開示】
【発明が解決しようとする課題】
【０００４】
前記従来構造のものは、同軸ケーブル用コネクタの主要部材である、機器に組付けるコネクタ本体と、これに螺合する締付け金具を金属（通常は、黄銅）で構成しているので重量が嵩み、軽量化が望まれていた。そして、軽量化するには金属に代るものとして多用されている合成樹脂を用いることが考慮されたが、合成樹脂では、同軸ケーブルの外部導体とコネクタ本体間を導通状態にできないこと、耐候性或いは衝撃性に問題があり、合成樹脂を用いて軽量化を意図したものは実用化されていない。
【０００５】
本発明は、合成樹脂を用いて軽量化を図った同軸ケーブル用コネクタを提供することを目的として創案したものである。
【課題を解決するための手段】
【０００６】
コネクタ本体の雄ねじ部に螺合してクランプリングを縮径させて同軸ケーブルの外部導体に圧接させるようにした同軸ケーブル用コネクタの締付け金具において、コネクタ本体の前記雄ねじ部に螺合する金具本体と該金具本体を前後方向の中間部において収設した、ポリカーボネート等の硬質合成樹脂製のカバー枠で構成し、カバー枠を塩ビ等の耐候性有る軟質樹脂層で套装した構成とするのである。
【発明の効果】
【０００７】
本発明によれば、コネクタの主要部材の一つである締付け金具の、コネクタ本体と螺合する部分を金属で構成して締付け力を確保しつつ、殆んどの部材をカバー枠として合成樹脂で構成するので軽量化を図ることができ、また、合成樹脂製のカバー枠を耐候性有る軟質合成樹脂層で套装したので、屋外での使用に不都合が生じることなく、硬質樹脂を用いたのにもかかわらず、落下による破損を防げ、耐衝撃性が有り、取扱い上好適な同軸ケーブル用コネクタを提供することができる。
【実施例】
【０００８】
図１は本発明に係る締付け金具を適用した同軸ケーブル用コネクタの使用状態を示す断面図である。
【０００９】
図中、１は先端側に設けた第一雄ねじ１ａを機器Ａに螺合して取付ける、金属（実施例は黄銅）製のコネクタ本体で、コネクタ本体１の軸線上には中心コンタクト３を配し、該中心コンタクト３のピン３ａをコネクタ本体１の内側に収設した合成樹脂製の絶縁体４を通じて本体１より突出させ前記機器Ａに差し込むようにしてある。
【００１０】
中心コンタクト３は、外周端を押えリング５と前記コネクタ本体１とで挟持された支持片６に設けた支持孔６ａに、その基部を嵌合して支持され、基端面を開口して設けたねじ穴７に同軸ケーブルＣの芯線（中心導体）Ｃａに形成した雄ねじを螺合して同軸ケーブルＣと接続したものである。
【００１１】
前記支持片６は、中央に前記支持孔６ａを設けた、円板状の絶縁体（実施例は合成樹脂）の適所に窓孔６ｂを設けて構成したもので、斯様な支持片６で中心コンタクト３の基部乃至芯線Ｃａの先端を支持させることによりコネクタＡを比較的小径にすることができる。
【００１２】
この支持片６の周端部を挟持する前記押えリング５の内側にはフェルール８（金属製）を配し、フェルール８は、受圧筒部８ａと該受圧筒部８ａの内側に配した挟挿筒部８ｂをそれぞれ円形リング状の基部片において互いに接続した二重円筒体で成り、挟挿筒部８ｂを前記同軸ケーブルＣの外部導体Ｃｂと内部絶縁体Ｃｃの間に挟挿するようにして同軸ケーブルＣに組付け（接続し）てある。
【００１３】
このフェルール８の受圧筒部８ａの後端側（自由端側）の内周面に先端側から後端方向に径を漸次大きくしたテーパ面８ａ´を設け、該テーパ面８ａ´と逆方向すなわち後端側から先端方向に径を漸次大きくしたテーパ面９ａ´を押圧筒９（金属製）の、先後中間部の内周面に設け、これらテーパ面８ａ´，９ａ´に各対応するテーパ面１０ａ，１０ｂが接して縮径する、金属製のクランプリング１０を、フェルール８の前記受圧筒部８ａと押圧筒９の後部側の厚肉部９ａとの間に配し、前記厚肉部９ａと先部側の薄肉部９ｂとで成る押圧筒９は、薄肉部９ｂにおいて前記押えリング５とフェルール８の受圧部８ａ乃至クランプリング１０との間に介在させ、厚肉部９ａの一部を前記コネクタ本体１より後方に突出させ、締付け金具２内に突出させてある。
【００１４】
なお、筒状体で成る前記押えリング５は、先端側に、内径を小さくした内鍔部片５ａを備え、該内鍔部片５ａをスペーサとして機能させて該押えリング５と受圧部８ａ乃至クランプリング１０との間に挟入間隙を形成し、これに押圧筒９（の薄肉部９ｂ）を挟挿してある。
【００１５】
締付け金具２は、前記コネクタ本体１の後端側に設けた第二雄ねじ１ｂに螺合して本体１に組付ける金具本体２Ａと該金具本体２Ａを前後方向中間部に収設したカバー枠２Ｂとで構成し、カバー枠２Ｂの、前記金具本体２Ａより後方側には、外被用クランプリング１１、押えリング１２およびガスケットリング１３を順次並べて収設してある。
【００１６】
カバー枠２Ｂは、ポリカーボネート等の硬質合成樹脂製のカバー主体２Ｂ´を塩ビ等の耐候性有る軟質合成樹脂層２Ｂ´´で被覆して、軽量化を図ったものである。
【００１７】
また、カバー枠２Ｂは、カバー主体２Ｂ´の前部材（符号Ｂａで示す）を射出成形して金具本体２Ａと一体的に形成し、該前部材Ｂａに、同様に射出成形した後部材（符号Ｂｂで示す）を、前記外被用クランプリング１１、押えリング１２およびガスケットリング１３を内嵌するようにして組合わせ（金型内で）、組合わせた前後の部材Ｂａ，Ｂｂの外側に射出成形によって軟質合成樹脂層２Ｂ´´を形成するようにして得られる。このカバー主体２Ｂ´に収設した前記外被用クランプリング１１は、樹脂製の割り筒体で成り、中間部内周面に複数個の突子１１ｂ，…を同軸ケーブルの外被Ｃｃの周方向に並設し、先端縁を先端方向に漸次縮径するテーパ面１１ａと成し、該テーパ面１１ａと逆方向のテーパ面９ａを備えた前記押圧筒９の厚肉部９ａと隣接させて配し、該外被用クランプリング１１の後方側には係止段部１２ａにおいて前記締付け金具２（のカバー枠２ｂ）に押圧される押えリング１２を配し、押えリング１２の後方には同軸ケーブルＣの外被に接して、水気密機能を期待するガスケットリング１３を配してある。
【００１８】
そして、絶縁体４を一体的にしたコネクタ本体１を機器Ａに第一雄ねじ１ａを利用して組付け、締付け金具２、ガスケットリング１３、押えリング１２および外被用クランプリング１１を、適宜二次加工した同軸ケーブルＣの端末部に隣接する外被Ｃｄ部の周りに組合わせ、端末部の外部導体Ｃｂ部には押圧筒９と、該押圧筒９の内側に配したクランプ１０を組付ける一方、フェルール８と支持片６との間に押えリング５（の内鍔部片５ａ）を介在させるようにして、同軸ケーブルＣの芯線（中心導体）Ｃａの端末の二次加工して形成したねじ部を、支持片６と一体的にした中心コンタクト３のねじ穴７に螺合して組付け、次いで、スプリングワッシャ１４を組合わせて外部導体Ｃｂの端末にフェルール８を、受圧筒部８ａを挟挿筒部８ｂで該端末を挟持させるようにして組付けて、該フェルール８（受圧筒部８ａ）の外側に存するようにして押えリング５を組合わせた後、外部導体Ｃｂより突出する芯線Ｃａに形成した先端のねじ部を、支持片６と一体的にした中心コンタクト３のねじ穴７に螺合して中心コンタクト３を同軸ケーブルＣに組付け、この中心コンタクト３のピン３ａを、機器Ａに組付けたコネクタ本体１に収設した絶縁体４の貫通孔１５を通じ前記機器Ａ内に挿入して締付け金具２を本体１の第二雄ねじ１ｂに螺合締付けると、クランプリング１０は、押圧筒９および受圧筒部８ａ（フェルール８）からテーパ面において相対的に押圧され縮径して外部導体Ｃｂをフェルール８の挟挿筒部８ｂとで挟持し、また、同軸ケーブルＣの外被Ｃｄは、締付け金具２の本体１方向の前進により押圧筒９と押えリング１２に両端を相対的に押圧されて縮径する外被用クランプリング１１の突子１１ｂ，…（等間隔を存して外被Ｃｄの周方向に並設してあるのが望ましい）が食い込んで挟持され、コネクタを介する機器Ａと同軸ケーブルＣの接続状態を得られる。
【図面の簡単な説明】
【００１９】
【図１】同軸ケーブル用コネクタの使用状態を示す断面図。
【符号の説明】
【００２０】
１          コネクタ本体
１ｂ        雄ねじ部
２          締付け金具
２Ａ        金具本体
２Ｂ        カバー枠
２Ｂ´      カバー主体
２Ｂ´´    軟質樹脂層
Ｃ          同軸ケーブル
Ｃａ        中心導体
Ｃｂ        外部導体
【図１】
2010056001.tif 000003